【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
ファイル内に複数の画像が格納されているファイルを入力する入力手段と、
前記ファイル内の複数の画像の参照情報を、前記ファイルに格納されているチェーン構
造又はツリー構造のディレクトリから解析する解析手段と、
前記解析された参照情報に基づいて前記ファイル内の複数の画像を特定し、前記特定さ
れた画像毎の用途を前記画像の属性に応じて判定する用途判定手段と、
前記判定された用途を案内する画面を表示装置に対して出力する用途案内画面出力手段
と、
前記案内された用途の確定指示を受け付け、前記確定指示に応じて前記用途を確定させ
る用途確定手段と、
前記確定された用途を前記参照情報毎に追加登録する用途登録手段と、
を備えることを特徴とする画像処理装置。
【請求項２】
前記用途判定手段は、前記画像のサイズが最も大きい画像の用途を印刷用、最も小さい
画像を画面表示用と判定することを特徴とする請求項１に記載の画像処理装置。
【請求項３】
前記用途判定手段は、前記画像処理装置がデモザイク処理機能を備えておらず、かつ、
前記画像がＲＡＷデータ画像である場合には、該ＲＡＷデータ画像に対して用途を設定し
ないことを特徴とする請求項１または２に記載の画像処理装置。
【請求項４】
（ａ）ファイル内に複数の画像が格納されているファイルを入力するステップと、
（ｂ）前記ファイル内の複数の画像の参照情報を、前記ファイルに格納されているチェ
ーン構造又はツリー構造のディレクトリから解析するステップと、
（ｃ）前記解析された参照情報に基づいて前記ファイル内の複数の画像を特定し、前記
特定された画像毎の用途を前記画像の属性に応じて判定するステップと、
（ｄ）前記判定された用途を案内する画面を表示装置に対して出力するステップと、
（ｅ）前記案内された用途の確定指示を受け付け、前記確定指示に応じて前記用途を確
定させるステップと、
（ｆ）前記確定された用途を前記参照情報毎に追加登録するステップと、
を備えることを特徴とする画像処理方法。
【請求項５】
前記ステップ（ｃ）は、前記画像のサイズが最も大きい画像の用途を印刷用、最も小さ
い画像を画面表示用と判定するステップであることを特徴とする請求４に記載の画像処理
方法。
【請求項６】
前記ステップ（ｃ）は、前記画像処理装置がデモザイク処理機能を備えておらず、かつ
、前記画像がＲＡＷデータ画像である場合には、該ＲＡＷデータ画像に対して用途を設定
しないステップであることを特徴とする請求項４または５に記載の画像処理方法。
【請求項７】
コンピュータに、
（ａ）ファイル内に複数の画像が格納されているファイルを入力するステップと、
（ｂ）前記ファイル内の複数の画像の参照情報を、前記ファイルに格納されているチェ
ーン構造又はツリー構造のディレクトリから解析するステップと、
（ｃ）前記解析された参照情報に基づいて前記ファイル内の複数の画像を特定し、前記
特定された画像毎の用途を前記画像の属性に応じて判定するステップと、
（ｄ）前記判定された用途を案内する画面を表示装置に対して出力するステップと、
（ｅ）前記案内された用途の確定指示を受け付け、前記確定指示に応じて前記用途を確
定させるステップと、
（ｆ）前記確定された用途を前記参照情報毎に追加登録するステップと、
を実行させるためのプログラム。
【請求項８】
前記ステップ（ｃ）は、前記画像のサイズが最も大きい画像の用途を印刷用、最も小さ
い画像を画面表示用と判定するステップであることを特徴とする請求７に記載のプログラ
ム。
【請求項９】
前記ステップ（ｃ）は、前記画像処理装置がデモザイク処理機能を備えておらず、かつ
、前記画像がＲＡＷデータ画像である場合には、該ＲＡＷデータ画像に対して用途を設定
しないステップであることを特徴とする請求項７または８に記載のプログラム。
【手続補正２】
【補正対象書類名】明細書
【補正対象項目名】発明の名称
【補正方法】変更
【補正の内容】
【発明の名称】画像処理装置、画像処理方法及び画像処理プログラム
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
上記目的を達成するための画像処理装置は、ファイル内に複数の画像が格納されている
ファイルを入力する入力手段と、前記ファイル内の複数の画像の参照情報を、前記ファイ
ルに格納されているチェーン構造又はツリー構造のディレクトリから解析する解析手段と
、  前記解析された参照情報に基づいて前記ファイル内の複数の画像を特定し、前記特定
された画像毎の用途を前記画像の属性に応じて判定する用途判定手段と、前記判定された
用途を案内する画面を表示装置に対して出力する用途案内画面出力手段と、前記案内され
た用途の確定指示を受け付け、前記確定指示に応じて前記用途を確定させる用途確定手段
と、前記確定された用途を前記参照情報毎に追加登録する用途登録手段と、を備えること
を特徴とする。
ファイルに格納されている複数の画像の各用途を画像の属性に応じて判定し、判定され
た用途をユーザに案内し、ユーザによる用途の確定指示を受け付け、確定指示に応じて用
途を確定させる手段を画像処理装置に備えることにより、ユーザが用途を入力する操作を
簡素化することができ、誤判定による画像の誤用を防止することができる。
前記用途判定手段は、前記画像のサイズが最も大きい画像の用途を印刷用、最も小さい
画像を画面表示用と判定しても良いし、前記画像処理装置がデモザイク処理機能を備えて
おらず、かつ、前記画像がＲＡＷデータ画像である場合には、該ＲＡＷデータ画像に対し
て用途を設定しないとしても良い。
【手続補正１３】
【補正対象書類名】明細書
【補正対象項目名】００１６
【補正方法】変更
【補正の内容】
【００１６】
上記目的を達成するための画像処理方法は、（ａ）ファイル内に複数の画像が格納され
ているファイルを入力するステップと、（ｂ）前記ファイル内の複数の画像の参照情報を
、前記ファイルに格納されているチェーン構造又はツリー構造のディレクトリから解析す
るステップと、（ｃ）前記解析された参照情報に基づいて前記ファイル内の複数の画像を
特定し、前記特定された画像毎の用途を前記画像の属性に応じて判定するステップと、（
ｄ）前記判定された用途を案内する画面を表示装置に対して出力するステップと、（ｅ）
前記案内された用途の確定指示を受け付け、前記確定指示に応じて前記用途を確定させる
ステップと、（ｆ）前記確定された用途を前記参照情報毎に追加登録するステップとを備
えることを特徴とする。
ファイルに格納されている複数の画像の各用途を画像の属性に応じて判定し、判定され
た用途をユーザに案内し、ユーザによる用途の確定指示を受け付け、確定指示に応じて用
途を確定させるステップを備えることにより、ユーザが用途を入力する操作を簡素化する
ことができ、誤判定による画像の誤用を防止することができる。
前記ステップ（ｃ）は、前記画像のサイズが最も大きい画像の用途を印刷用、最も小さ
い画像を画面表示用と判定しても良いし、前記画像処理装置がデモザイク処理機能を備え
ておらず、かつ、前記画像がＲＡＷデータ画像である場合には、該ＲＡＷデータ画像に対
して用途を設定しないとしても良い。
【手続補正１４】
【補正対象書類名】明細書
【補正対象項目名】００１７
【補正方法】変更
【補正の内容】
【００１７】
上記目的を達成するためのプログラムは、コンピュータに、（ａ）ファイル内に複数の
画像が格納されているファイルを入力するステップと、（ｂ）前記ファイル内の複数の画
像の参照情報を、前記ファイルに格納されているチェーン構造又はツリー構造のディレク
トリから解析するステップと、（ｃ）前記解析された参照情報に基づいて前記ファイル内
の複数の画像を特定し、前記特定された画像毎の用途を前記画像の属性に応じて判定する
ステップと、（ｄ）前記判定された用途を案内する画面を表示装置に対して出力するステ
ップと、（ｅ）前記案内された用途の確定指示を受け付け、前記確定指示に応じて前記用
途を確定させるステップと、（ｆ）前記確定された用途を前記参照情報毎に追加登録する
ステップとを実行させる。
ファイルに格納されている複数の画像の各用途を画像の属性に応じて判定し、判定され
た用途をユーザに案内し、ユーザによる用途の確定指示を受け付け、確定指示に応じて用
途を確定させるステップを備えることにより、ユーザが用途を入力する操作を簡素化する
ことができ、誤判定による画像の誤用を防止することができる。
前記ステップ（ｃ）は、前記画像のサイズが最も大きい画像の用途を印刷用、最も小さ
い画像を画面表示用と判定しても良いし、前記画像処理装置がデモザイク処理機能を備え
ておらず、かつ、前記画像がＲＡＷデータ画像である場合には、該ＲＡＷデータ画像に対
して用途を設定しないとしても良い。